(57)【要約】      （修正有） 【課題】直接手で操作することにより、安定した開閉作動が奏されるように構成した排水口用栓を提供する。【解決手段】フランジ状天板面の中央に排水口１ｂを開設して成る排水用筒体１の中心部に、下端部で固定された栓体支持用円柱６を立設し、当該排水口１ｂに対して嵌合可能な栓体９の上面中心部に昇降操作用摘み９ａを突設し、当該栓体９の下面中心部に昇降パイプを垂設すると共に、前記栓体支持用円柱６に対して昇降自在に嵌合し、当該昇降パイプには、栓体９を開栓状態で安定させるための仮止め機構と、当該仮止め状態以上の栓体引上げを阻止するためのストッパー機構を付設する。【選択図】図４
0003155198.tif 000002
【実用新案登録請求の範囲】
【請求項１】
フランジ状天板面(1ａ)の中央に排水口(1ｂ)を開設して成る排水用筒体(１)の中心部に、下端部で固定された栓体支持用円柱(６)を立設し、当該排水口(1ｂ)に対してしっくりと嵌合可能として成る栓体(９)の上面中心部に昇降操作用摘み(９ａ)を突設し、
当該栓体(９)の下面中心部に昇降パイプ(10)を垂設すると共に、前記栓体支持用円柱(６)に対して昇降自在に嵌合し、
当該昇降パイプ(10)には、栓体(９)を上方に引上げて開栓した状態で安定させるための仮止め機構と、当該開栓状態以上の栓体の引上げを阻止するためのストッパー機構を付設するように構成した排水用栓。
【請求項２】
フランジ状天板面(1ａ)の中央に排水口(1ｂ)を開設して成る排水用筒体(１)の内部下方寄りに、中心部を囲むように排水用口(5ａ)を開設した円形基板(５)を取り付け、当該円形基板(５)の中心部に栓体支持用円柱(６)を立設し、上記排水口(1ｂ)に対してしっくりと嵌合可能と成る栓体(９)の上面中心部に昇降操作用摘み(９ａ)を突設し、当該栓体(９)の下面中心部に垂設した昇降パイプ(10)を、上記栓体支持用円柱(６)に対して昇降自在に嵌合し、
また、栓体(９)を上方に引上げて開栓した状態で安定させるための仮止め機構として、栓体支持用円柱(６)の上端より部分に水平透孔(6ａ)を穿設すると共に、当該水平透孔(6ａ)内に収装するコイルスプリング(７)の両端に位置しかつ当該コイルスプリング(７)を介して外方への突出力が付与されている球状出没子(8，8)を設けると共に、上記昇降パイプ(10)の所要箇所に、当該球状出没子(8，8)を受け入れるための係止用凹部(10ａ，10ａ)を設け、当該係止用凹部(10ａ，10ａ)に対して球状出没子(8，8)を係合させることによって、栓体(９)の開栓状態での仮止めが成されるように構成したことを特徴とする排水用栓。
【請求項３】
栓体支持用円柱(６)の上端に大径頭部(6ａ)を形成し、昇降パイプ(10)の係止用凹部(10ａ，10ａ)の形成箇所の上部に係止用段部(ａ)を設けると共に、その上部には、当該大径頭部(6ａ)を昇降自在に嵌合するために大径に形成した大径内径筒部(ｂ)を形成し、更に、当該係止用段部(ａ)以下の内径は、栓体支持用円柱(６)が昇降自在に嵌合される程度の小径内径筒部(ｃ)を形成し、栓体(９)が開栓状態で仮止めされた際に、栓体支持用円柱(６)の大径頭部(6ａ)が当該係止用段部(ａ)の上縁に係止して、当該昇降パイプ(10)のこれ以上の引き上げが阻止されるように構成したことを特徴とする請求項２に記載の排水用栓。
【請求項４】
栓体支持用円柱(６)のほぼ中央部分にしてかつ既述した球状出没子(8，8)を設けるための水平透孔(6ａ)と直交する方向に、回転阻止用軸体(11)をその両端を突出させた状態で差込み固定し、昇降パイプ(10)の両側部に案内用縦溝孔(10ｂ，10ｂ)を開設し、上記回転阻止用軸体(11)の両端突出部を当該案内用縦溝孔(10ｂ，10ｂ)内に突入させておくことにより、栓体支持用円柱(６)と昇降パイプ(10)との相互回転、すなわち、係止用凹部(10ａ，10ａ)に対する球状出没子(8，8)の係止の位置ズレ防止が図られるように構成した請求項２または請求項３の何れかに記載の排水用栓。
【請求項５】
フランジ状天板面(1ａ)の中央に排水口(1ｂ)を開設して成る排水用筒体(１)の中心部に、下端部で固定された栓体支持用円柱(13)を立設し、当該排水口(1ｂ)に対してしっくりと嵌合可能として成る栓体(９)の上面中心部に昇降操作用摘み(9ａ)を突設し、
当該栓体(９)の下面中心部に垂設した昇降パイプ(14)を前記栓体支持用円柱(13)に対して昇降自在に嵌合し、
上記昇降パイプ(14)の内面側所要位置にリング状を呈するマグネット(16)を固定し、栓体(９)を開栓状態に引上げた際に、これに伴い引上げられた当該マグネット(16)の吸引力に基づき、当該栓体(９)に対する開栓状態での仮止め的安定が成されるように構成した排水用栓。
【請求項６】
フランジ状天板面(1ａ)の中央に排水口(1ｂ)を開設して成る排水用筒体(１)の中心部に、下端部で固定された栓体支持用円柱(６)を立設し、当該排水口(1ｂ)に対してしっくりと嵌合可能として成る栓体(９)の上面中心部に昇降操作用摘み(9ａ)を突設し、当該栓体(９)の下面中心部に垂設した昇降パイプ(15)を前記栓体支持用円柱(13)に対して昇降自在に嵌合し、
栓体支持用円柱(13)の上端に磁性金属材料で製したストッパー兼仮止め用円盤(14)を固設すると共に、上記昇降パイプ(15)の内面側所要位置にリング状を呈するマグネット(16)を固定し、栓体(９)を開栓状態に位置させた際に、当該マグネット(16)とストッパー兼仮止め用円盤(14)との係止に基づき当該栓体(９)のこれ以上の上昇が阻止された状態での安定が図られるように構成した排水用栓。
【請求項７】
栓体支持用円柱(13)をステンレスのような非磁性材料で製した請求項４または請求項５の何れかに記載の排水用栓。
【考案の詳細な説明】
【技術分野】
【０００１】
本考案は、洗面槽、浴槽等の排水口に対する開閉を行うための排水用栓に関する。
【背景技術】
【０００２】
従来の排水用栓は排水口に対して着脱自在に嵌合するための栓を、洗面槽、浴槽等の貯水部の外周部分に基端を固定した鎖等の先端に連結したものがある。（例えば、特許文献１乃至特許文献５参照。）  そして、当該栓の取り外しは鎖等を引っ張って行うものである。
【０００３】
このような鎖で取り付けるように構成したもの以外の排水用栓としては、貯水部の外方に操作用レバーを設け、当該レバー操作に基づき排水用栓に対する開閉を遠隔的に行うように構成したものがある。（例えば、特許文献６参照。）    
【０００４】
【特許文献１】特開平10−192039号公報
【特許文献２】実用新案登録第3116225号
【特許文献３】特開2001−245802号公報
【特許文献４】特開平10−113297号公報
【特許文献５】実開平7−7581号公報
【特許文献６】実開平2−74880号公報
【考案の開示】
【考案が解決しようとする課題】
【０００５】
上記したようなレバーによる遠隔操作的に排水口用栓の開閉を行うもの（例えば、特許文献６参照。）にあっては、当該レバー機構を洗面台等に組み込まなければならないため、例えば専用の洗面台を新たに製造しなければならないものである。  そのため、製造コストの高騰性及び製造作業の煩雑性を招くばかりでなく、レバー機構部分の精密性から故障が発生し易いというような問題が伴った。
【０００６】
また、特許文献１に示すような鎖で繋ぐように構成したものであると、鎖が切れたり、栓が鎖から外れてしまったりすることを防止するために、特許文献２に示すように吸盤による取付けを図るもの、特許文献３に示すように栓に対する鎖の端部固定の強化を図るための特別の対応を採るもの、特許文献４に示すように鎖の基端部取り付けの強化を図るための特別の対応を採るもの、特許文献５に示すように開栓時に鎖を巻き込んで邪魔にならないよう手段を採るもの等、鎖の使用に基づく各種の問題点を解決するための対策を講じることが要求された。
【０００７】
本考案は、栓体を直接手で操作することによりその開閉が行われるように構成することにより、上述したような問題点の解消を図ると同時に、極めて安定した開閉作動が奏され、かつ排水時における開栓状態にある栓体の顕著な安定性が図られるように構成した新規の排水口用栓の提供を図ったものである。
【課題を解決するための手段】
【０００８】
本考案は請求項１に記載のように、フランジ状天板面1ａの中央に排水口1ｂを開設して成る排水用筒体１の中心部に、下端部で固定された栓体支持用円柱６を立設し、当該排水口1ｂに対してしっくりと嵌合可能として成る栓体９の上面中心部に昇降操作用摘み９ａを突設し、当該栓体９の下面中心部に昇降パイプ10を垂設すると共に、前記栓体支持用円柱６に対して昇降自在に嵌合し、
当該昇降パイプ10には、栓体10を上方に引上げて開栓した状態で安定させるための仮止め機構と、当該開栓状態以上の栓体の引上げを阻止するためのストッパー機構を付設するように構成した排水用栓に係るものである。
【０００９】
本考案は請求項２に記載のように、フランジ状天板面1ａの中央に排水口1ｂを開設して成る排水用筒体１の内部下方寄りに、中心部を囲むように排水用口5ａを開設した円形基板５を取り付け、当該円形基板５の中心部に栓体支持用円柱６を立設し、上記排水口1ｂに対してしっくりと嵌合可能と成る栓体９の上面中心部に昇降操作用摘み９ａを突設し、当該栓体９の下面中心部に垂設した昇降パイプ10を、上記栓体支持用円柱６に対して昇降自在に嵌合し、また、栓体10を上方に引上げて開栓した状態で安定させるための仮止め機構として、栓体支持用円柱６の上端より部分に水平透孔6ａを穿設すると共に、当該水平透孔6ａ内に収装するコイルスプリング７の両端に位置しかつ当該コイルスプリング７を介して外方への突出力が付与されている球状出没子8，8を設けると共に、上記昇降パイプ９の所要箇所に、当該球状出没子8，8を受け入れるための係止用凹部9ａ，9ａを設け、当該係止用凹部9ａ，9ａに対して球状出没子8，8を係合させることによって、栓体10の開栓状態での仮止めが成されるように構成したことを特徴とする排水用栓を実施の態様とする。
【００１０】
本考案は請求項３に記載のように、栓体支持用円柱６の上端に大径頭部6ａを形成し、昇降パイプ10の係止用凹部10ａ，10ａの形成箇所の上部に係止用段部ａを設けると共に、その上部には、当該大径頭部6ａを昇降自在に嵌合するために大径に形成した大径内径筒部ｂを形成し、更に、当該係止用段部ａ以下の内径は、栓体支持用円柱６が昇降自在に嵌合される程度の小径内径筒部ｃを形成し、栓体９が開栓状態で仮止めされた際に、栓体支持用円柱６の大径頭部6ａが当該係止用段部ａの上縁に係止して、当該昇降パイプ10のこれ以上の引き上げが阻止されるように構成したことを特徴とする請求項２に記載の排水用栓を実施の態様とする。
【００１１】
本考案は請求項４に記載のように、栓体支持用円柱６のほぼ中央部分にしてかつ既述した球状出没子8，8を設けるための水平透孔6ａと直交する方向に、回転阻止用軸体11をその両端を突出させた状態で差込み固定し、昇降パイプ10の両側部に案内用縦溝孔10ｂ，10ｂを開設し、上記回転阻止用軸体11の両端突出部を当該案内用縦溝孔10ｂ，10ｂ内に突入させておくことにより、栓体支持用円柱６と昇降パイプ10との相互回転、すなわち、係止用凹部10ａ，10ａに対する球状出没子8，8の係止位置ズレの防止が図られるように構成した請求項２または請求項３の何れかに記載の排水用栓を実施の態様とする。
【００１２】
本考案は請求項５に記載のように、フランジ状天板面1ａの中央に排水口1ｂを開設して成る排水用筒体１の中心部に、下端部で固定された栓体支持用円柱13を立設し、当該排水口1ｂに対してしっくりと嵌合可能として成る栓体９の上面中心部に昇降操作用摘み９ａを突設し、当該栓体９の下面中心部に垂設した昇降パイプ14を前記栓体支持用円柱13に対して昇降自在に嵌合し、上記昇降パイプ14の内面側所要位置にリング状を呈するマグネット16を固定し、栓体９を開栓状態に引上げた際に、これに伴い引上げられた当該マグネット16の吸引力に基づき、当該栓体９に対する開栓状態での仮止め的安定が成されるように構成した排水用栓に係るものである。
【００１３】
本考案は請求項６に記載のように、フランジ状天板面1ａの中央に排水口1ｂを開設して成る排水用筒体１の中心部に、下端部で固定された栓体支持用円柱６を立設し、当該排水口1ｂに対してしっくりと嵌合可能として成る栓体９の上面中心部に昇降操作用摘み9ａを突設し、当該栓体９の下面中心部に垂設した昇降パイプ15を前記栓体支持用円柱13に対して昇降自在に嵌合し、栓体支持用円柱13の上端に磁性金属材料で製したストッパー兼仮止め用円盤14を固設すると共に、上記昇降パイプ15の内面側所要位置にリング状を呈するマグネット16を固定し、栓体９を開栓状態に位置させた際に、当該マグネット16とストッパー兼仮止め用円盤14との係止に基づき当該栓体９のこれ以上の上昇が阻止された状態での安定が図られるように構成した排水用栓を実施の態様とする。
【００１４】
本考案は請求項７に記載のように、栓体支持用円柱13をステンレスのような非磁性材料で製した請求項５または請求項６の何れかに記載の排水用栓を実施の態様とする。
【考案の効果】
【００１５】
本考案は請求項１に記載のような構成を採用したから、すなわち、フランジ状天板面1ａの中央に排水口1ｂを開設して成る排水用筒体１の中心部に、下端部で固定された栓体支持用円柱６を立設し、当該排水口1ｂに対してしっくりと嵌合可能として成る栓体９の上面中心部に昇降操作用摘み9ａを突設し、当該栓体９の下面中心部に昇降パイプ10を垂設すると共に、前記栓体支持用円柱６に対して昇降自在に嵌合し、当該昇降パイプ10には、栓体９を上方に引上げて開栓した状態で安定させるための仮止め機構と、当該開栓状態以上の栓体の引上げを阻止するためのストッパー機構を付設するように構成したから、栓体９の開閉操作は昇降操作用摘み9ａを摘んで直接的に行うことが出来る。
【００１６】
従って、従来のように、レバーによる遠隔操作的に排水口用栓の開閉を行うように構成した場合に生じる専用の洗面台を新たに製造しなければならないものである。  そのため製造コストの高騰性及び製造作業の煩雑性というような問題を回避することが出来る。  そして、従来のように、栓体を鎖で繋ぐように構成したものにおいて生じたであると、鎖が切れたり、鎖から栓が外れてしまったりするような問題が発生することがない。  換言すれば、本考案は栓体を直接的に操作すると言うことにより、開栓及び閉栓の操作上の確実性と機構的な堅牢性を保持した排水用栓の提供が可能化されるわけである。
【００１７】
本考案は請求項２に記載のような構成、特に、栓体９を上方に引上げて開栓した状態で安定させるための仮止め機構として、栓体支持用円柱６の上端より部分に水平透孔6ａを穿設すると共に、当該水平透孔6ａ内に収装するコイルスプリング７の両端に位置しかつ当該コイルスプリング７を介して外方への突出力が付与されている球状出没子8，8を設けると共に、上記昇降パイプ10の所要箇所に、当該球状出没子8，8を受け入れるための係止用凹部10ａ，10ａを設け、当該係止用凹部10ａ，10ａに対して球状出没子8，8を係合させることによって、栓体９の開栓状態での仮止めが成されるように構成したから、開栓状態において排水の水流等に基づき不用意に栓体10が閉栓方向に下がってしまったりするような事態発生を皆無とし、極めて安定した開栓状態の保持目的が達成される。
【００１８】
本考案は請求項３に記載のような構成、すなわち、栓体支持用円柱６の上端に大径頭部6ａを形成し、昇降パイプ10の係止用凹部10ａ，10ａの形成箇所の上部に係止用段部ａを設けると共に、その上部には、当該大径頭部6ａを昇降自在に嵌合するために大径に形成した大径内径筒部ｂを形成し、更に、当該係止用段部ａ以下の内径は、栓体支持用円柱６が昇降自在に嵌合される程度の小径内径筒部ｃを形成し、栓体９が開栓状態で仮止めされた際に、栓体支持用円柱６の大径頭部6ａが当該係止用段部ａの上縁に係止して、当該昇降パイプ10のこれ以上の引き上げが阻止されるように構成したから、栓体９は開栓方向に一杯に引っ張られた際、これ以上の引き上げか強力に阻止されることとなり、従って、栓体に対する仮止め機構部分に無理な力が働いてこれを破損させてしまうような心配を皆無とする。
【００１９】
本考案は請求項４に記載のような構成、すなわち、栓体支持用円柱６のほぼ中央部分にしてかつ既述した球状出没子8，8を設けるための水平透孔6ａと直交する方向に、回転阻止用軸体11をその両端を突出させた状態で差込み固定し、昇降パイプ10の両側部に案内用縦溝孔10ｂ，10ｂを開設し、上記回転阻止用軸体11の両端突出部を当該案内用縦溝孔10ｂ，10ｂ内に突入させておくことにより、栓体支持用円柱６と昇降パイプ10との相互回転、すなわち、係止用凹部10ａ，10ａに対する球状出没子8，8の係止位置ズレの防止が図られるように構成することにより、係止用凹部10ａ，10ａと球状出没子8，8による仮止め作用が極めて安定した状態で行われることとなる。
【００２０】
本考案は請求項５に記載のような構成、すなわち、フランジ状天板面1ａの中央に排水口1ｂを開設して成る排水用筒体１の中心部に、下端部で固定された栓体支持用円柱13を立設し、当該排水口1ｂに対してしっくりと嵌合可能として成る栓体９の上面中心部に昇降操作用摘み９ａを突設し、当該栓体９の下面中心部に垂設した昇降パイプ14を前記栓体支持用円柱13に対して昇降自在に嵌合し、上記昇降パイプ14の内面側所要位置にリング状を呈するマグネット16を固定し、栓体９を開栓状態に引上げた際に、これに伴い引上げられた当該マグネット16の吸引力に基づき、当該栓体９に対する開栓状態での仮止め的安定が成されるように構成したから、栓体９の開閉操作は昇降操作用摘み9ａを摘んで直接的に行うことが出来る。
【００２１】
従って、従来のように、レバーによる遠隔操作的に排水口用栓の開閉を行うように構成した場合に生じる専用の洗面台を新たに製造しなければならないものである。  そのため製造コストの高騰性及び製造作業の煩雑性というような問題を回避することが出来る。  そして、従来のように、栓体を鎖で繋ぐように構成したものにおいて生じたであると、鎖が切れたり、鎖から栓が外れてしまったりするような問題が発生することがない。  換言すれば、本考案は栓体を直接的に操作すると言うことにより、開栓及び閉栓の操作上の確実性と機構的な堅牢性を保持した排水用栓の提供が可能化される。
【００２２】
本考案は請求項６に記載のような構成、すなわち、フランジ状天板面1ａの中央に排水口1ｂを開設して成る排水用筒体１の中心部に、下端部で固定された栓体支持用円柱６を立設し、当該排水口1ｂに対してしっくりと嵌合可能として成る栓体９の上面中心部に昇降操作用摘み9ａを突設し、当該栓体９の下面中心部に垂設した昇降パイプ14を前記栓体支持用円柱13に対して昇降自在に嵌合し、栓体支持用円柱13の上端に磁性金属材料で製したストッパー兼仮止め用円盤14を固設すると共に、上記昇降パイプ15の内面側所要位置にリング状を呈するマグネット16を固定し、栓体９を開栓状態に位置させた際に、当該マグネット16とストッパー兼仮止め用円盤14との係止に基づき栓体９のこれ以上の上昇が阻止された状態での安定が図られるように構成したから、請求項４の場合と同様な作用効果を奏すると共に、栓体９に対する開栓位置での仮止め及びこれ以上の引上げを阻止するためのストッパー作用が奏されるため、極めて良好なる開栓状態での保持目的が達成される。
【００２３】
更に、仮止め作用はマグネット16の吸引力に依存すように構成したから、その仮止めは極めて円滑にして確実に行われると同時に、その構成上のシンプル性から製造コストの低廉化が図られると同時に故障発生の心配を殆ど皆無とすると同時に、製造作業の容易性にも大きく貢献することとなる。
【００２４】
本考案は請求項７に記載のような構成、すなわち、栓体支持用円柱13をステンレスのような非磁性材料で製することにより、完全開栓状態に至る過程において、マグネット16の吸引力が栓体支持用円柱13に及ぶことがないため、作動上の安定性がスムーズ性が図られることとなる。
【考案を実施するための最良の形態】
【００２５】
図１乃至図５は本考案の第１の実施例を表したものである。  同図に於いて、１は排水用筒体であって、そのフランジ状天板面1ａの中央には排水口1ｂが開設されており、また、当該排水口1ｂの内周面は、後述する栓体９の側周面としっくりと嵌合する内向きテーパー面とするように構成してある。  1ｃは上記排水用筒体１の胴部両側面に開設したオーバーフロー水流出用窓状口を示す。
【００２６】
また、上記した排水用筒体１の下方部分には取付け用螺子1ｄが刻設されており、当該取付け用螺子1ｄにはリング状固定ナット２が螺合されている。  そして、当該固定ナット２を締着することにより、本考案の取り付け対象とする洗面槽または浴槽等の貯水槽における排水口部分Ａに固定化されるように構成してある（図１参照）。  ３は上記フランジ状天板面1ａの下面側に介在させたリング状パッキング、４はリング状固定ナット２の上位側に介在させた先細テーパー状パッキングであって、両パッキングに依る排水口部分Ａに対する挟み込み作用に基づき、本考案の取付け目的が達成されるように構成してある。  そして、当該取付け用螺子1ｄの下端寄り部分には、所要の排水パイプ（図示してない）が連結されるようになっている。
【００２７】
ところで、上述したような構成は公知技術に属し、本考案の特徴とするところは、このような構成を具えた排水用筒体１に対して、下記する栓体を手動的に昇降自在（開閉自在）に装設するように構成したことにある。
【００２８】
５は排水用筒体１の内部下方寄りに取り付けた円形基板であって、その中心部分に下記する栓体支持用円柱６を垂直に立設するためのものである。  そして、当該円形基板５は中心部を囲むように排水用口5ａが開設されている（第２図及び第３図参照）。  なお、当該排水用口5ａの開設形態は図示に示すものに限定されることはない。  すなわち、当該排水用口5ａの開設形態は、中心部に栓体支持用円柱６を立設するための板状部分が形成可能とする形態であれば如何なる開設形態であってもよい。
【００２９】
６は前記円形基板５の中心部に立設した栓体支持用円柱であって、その上端寄り部分には大径頭部6ａを形成してある。  そして、当該大径頭部6ａの下方部分には水平透孔6ｂを穿設すると共に、当該水平透孔6ｂ内に、コイルスプリング７の両端に位置しかつ当該コイルスプリング７を介して外方への突出力が付与されている球状出没子8，8が取付けてある。  そして、当該球状出没子8，8は後述する昇降パイプ10の内壁面に接している状態にあっては内部に引っ込んだ状態に保たれるように構成してある。
【００３０】
９は栓体であって、既述した排水用筒体１に開設されている排水口1ｂに対してしっくりと嵌合可能とするものである。  そして、当該栓体９の上面中心部には操作用摘み9ａが突設してあり、栓体９は当該操作用摘み9ａを把持してその昇降操作（開閉操作）、特に引き上げ操作を行うように構成してある。
【００３１】
10は上記した栓体９の下面中心部に垂設した昇降パイプであって、既述した栓体支持用円柱６に対してその上端側から昇降自在に嵌合させてある。  そして、当該昇降パイプ10は、栓体９が既述した排水用筒体１に開設されている排水口1ｂに対してしっくりと嵌合している状態（閉栓状態）から、これを開く方向（開栓方向）に一杯に引き上げた際に、これを停止安定化させるための仮止め機構と、栓体支持用円柱６からの離脱を阻止するためのストッパー機構が下記のように設けられている。
【００３２】
先ず、仮止め機構であるが、これは、当該昇降パイプ10の所要箇所（図示の実施例にあっては略中央部分）には、既述した球状出没子8，8を受け入れるための係止用凹部10ａ，10ａが設けてあり、当該昇降パイプ10の引き上げ（栓体９の開栓方向への引き上げ）に基づき、当該係止用凹部10ａ，10ａが球状出没子8，8の装設位置に達した際に、当該球状出没子8，8がコイルスプリング７の反発力に基づき突出して、当該係止用凹部10ａ，10ａに突入係止させ、当該昇降パイプ10のこの状態での仮止め的停止保持作用が奏されるように構成してある。  すなわち、これにより栓体９は開栓状態での安定化が図られることとなる。（図４及び図５参照。）
【００３３】
また、上記した栓体支持用円柱６に対する昇降パイプ10の昇降自在の嵌合であるが、両者の擦り合わせ的回動が行われた場合、前述した係止用凹部10ａ，10ａに対する球状出没子8，8の係止位置のズレが生じてしまうこととなる。  このようなズレ防止のために下記のような構成が採られている。
【００３４】
11は回転阻止用軸体であって、栓体支持用円柱６のほぼ中央部分にしてかつ既述した球状出没子8，8を設けるための水平透孔6ａと直交する方向に、その両端を突出させた状態で差込み固定してある。    10ｂ，10ｂは昇降パイプ10の両側部に開設した案内用縦溝孔であって、上記回転阻止用軸体11の両端突出部は当該案内用縦溝孔10ｂ，10ｂ内に突入させてある。  これにより、栓体支持用円柱６と昇降パイプ10との相互回転、すなわち、係止用凹部10ａ，10ａに対する球状出没子8，8の係止位置ズレの防止が図られるように構成してある。（図３参照。）
【００３５】
次に昇降パイプ10の栓体支持用円柱６からの離脱阻止のためのストッパー機構であるが、これは次のような構成からなるものである。
【００３６】
これは、昇降パイプ10の略上半部分すなわち、係止用凹部10ａ，10ａの形成箇所の上部に、係止用段部ａを設けて、既述した栓体支持用円柱６の上端に形成した大径頭部6ａを昇降自在に嵌合可能とするような大径として成る大径内径筒部ｂを形成し、当該係止用段部ａより下方の内径は、栓体支持用円柱６が昇降自在に嵌合される程度の小径内径筒部ｃを形成し、当該昇降パイプ10を開栓方向に一杯に引き上げた際に、当該大径頭部6ａが当該係止用段部ａの上縁に係止し当該昇降パイプ10のこれ以上の引き上げが阻止されると言うようなストッパー機能が働くように構成してある。（図４及び図５参照。）
【００３７】
なお、このようなストッパー機能が働くと同時に、既述したような係止用凹部10ａ，10ａに対する球状出没子8，8の係合に基づく仮止め的作用（栓体９の開栓状態での安定作用）が働くような寸法的設定が図られている。    
【００３８】
図６乃至図８は本考案の第２の実施例を表したものである。  すなわち、前述した第１実施例にあっては、球状出没子8，8と係止用凹部10ａ，10ａとの係合に基づき、栓体９の開栓状態での安定化を図るものであったのに対し、同図に示す第２実施例は、マグネットの吸引力に基づき、栓体10の開栓状態での安定化を図るように構成したものである。  以下、第２の実施例について詳細に説明する。  なお、第１の実施例の説明において使用した符号と同一のものは、第２の実施例に於いても同様な形態を具えたものである。
【００３９】
同図に於いて、１は排水用筒体であって、そのフランジ状天板面1ａの中央には排水口1ｂが開設されており、また、当該排水口1ｂの内周面は、後述する栓体９の側周面としっくりと嵌合する内向きテーパー面とするように構成してある。  1ｃは上記排水用筒体１の胴部両側面に開設したオーバーフロー水流出用窓状口を示す。
【００４０】
また、上記した排水用筒体１の下方部分には取付け用螺子1ｄが刻設されており、当該取付け用螺子1ｄにはリング状固定ナット２が螺合されている。  そして、当該固定ナット２を締着することにより、本考案の取り付け対象とする洗面槽または浴槽等の貯水槽における排水口部分に固定化されるように構成してある。  ３は上記フランジ状天板面1ａの下面側に介在させたリング状パッキング、４はリング状固定ナット２の上位側に介在させた先細テーパー状パッキングであって、両パッキングによる挟み込み作用に基づき、本考案の取付け目的が達成されるように構成してある。  そして、当該取付け用螺子1ｄの下端寄り部分には、所要の配水パイプが連結されるようになっている。
【００４１】
ところで、図６乃至図８に示す第２実施例にあっては、下記のような第１実施例と異なる構成を具えたものである。
【００４２】
12は排水用筒体１の内部下方寄りに取り付けた円形基板であって、その中心部分に下記する栓体支持用円柱13を垂直に立設するためのものである。  そして、当該円形基板12は中心部を囲むように排水用口12ａが開設されている。  なお、当該排水用口12ａの開設形態は図示に示すものに限定されることはない。  すなわち、当該排水用口12ａの開設形態は、中心部に栓体支持用円柱13を立設するための板状部分が形成可能とする形態であれば如何なる開設形態であってもよい。
【００４３】
そして、当該栓体支持用円柱13はステンレス等非磁性材料で形成することが好ましい。  また、その上端部には、当該栓体支持用円柱13より大径にしてかつ鉄のような磁性金属材料で製したストッパー兼仮止め用円盤14が取付けられている。
【００４４】
９は栓体であって、既述した排水用筒体１に開設されている排水口1ｂに対してしっくりと嵌合可能とするものである。  そして、当該栓体９の上面中心部には操作用摘み9ａを突設してあり、栓体９は当該操作用摘み9ａを把持する等なしてその昇降操作（開閉操作）を行うように構成してある。
【００４５】
15は上記した栓体９の下面中心部に垂設した昇降パイプであって、既述した栓体支持用円柱13に対してその上端側から昇降自在に嵌合してある。  そして、当該昇降パイプ15は、栓体９が既述した排水用筒体１に開設されている排水口1ｂに対してしっくりと嵌合している状態（閉栓状態）から、これを開く方向（開栓方向）に一杯に引き上げた際に、これを仮止めすると共にこれ以上の引き上げを阻止するために下記するような構成が採られている。
【００４６】
16はリング状を呈するマグネットであって、上記昇降パイプ14の内面側所要位置に固定してある。  そして、当該マグネット16の中心孔には前記栓体支持用円柱13に対して非接触状態を保って遊嵌貫通させてある。  17は当該マグネット16の下面側に位置するように昇降パイプ14の内面側に取り付けたリング状安定座金であって、当該マグネット16の安定的固定の補助をなすものであり、当該リング状マグネットと同一平面形状を呈し、その中心孔にはマグネット16と同様に栓体支持用円柱13が非接触状態を保って遊嵌貫通させられている。
【００４７】
そして、上記したリング状マグネット16の取付け位置であるが、これは栓体９を開栓方向に一杯に引き上げた際に、当該マグネット16が、栓体支持用円柱13の上端に固設したストッパー兼仮止め用円盤14に対して接触（吸引）する位置とするように設定してある。  これにより、栓体９を開栓方向に一杯に引き上げた際には、当該マグネット16と円盤14との係止に基づき、これ以上の引き上げが阻止される状態（ストッパー状態）となると同時に、当該マグネット16と円盤14の磁気的吸引力に基づく停止の安定状態（仮止め状態）に保持されるように構成されている。
【００４８】
本考案に係る排水用栓は、洗面台、浴槽等の水槽の排水口部分に取付け、栓体９を直接手で操作することよりその開閉が行われる。  そして、一杯に開栓した状態においては、仮止め作用とストッパー作用が奏され、その開栓状態の安定化、確実化が図られることとなる。
【図面の簡単な説明】
【００４９】
【図１】閉栓状態にある本考案の第１の実施例を表した正面図である。
【図２】閉栓状態にある本考案の第１の実施例を表した縦断面図である。
【図３】図２におけるＸ−Ｘ線断面図である。
【図４】開栓状態にある本考案の第１の実施例を表した縦断面図である。
【図５】開栓状態にある本考案の第１の実施例の要部を表した拡大縦断面図である。
【図６】開栓状態にある本考案の第２の実施例を表した縦断面図である。
【図７】図６におけるＹ−Ｙ線断面図である。
【図８】図６におけるＺ−Ｚ線断面図である。
【符号の説明】
【００５０】
１  排水用筒体
1a  フランジ状天板面
1b  排水口
1c  オーバーフロー水流出用窓状口
1d  取付け用螺子
２  リング状固定ナット
３  リング状パッキング
４  先細テーパー状パッキング
Ａ  排水口部分
５  円形基板
5a  排水用口
６  栓体支持用円柱
6a  大径頭部
6b  水平透孔
７  コイルスプリング
８  球状出没子
９  栓体
9a  操作用摘み
10  昇降パイプ
10ａ係止用凹部
10b 案内用縦溝孔
a   係止用段部
ｂ  大径内径筒部
11  回転阻止用軸体
12  円形基板
12a 排水用口
13  栓体支持用円柱
14  ストッパー兼仮止め用円盤
15  昇降パイプ
16  リング状マグネット
17  リング状安定座金
【図１】
0003155198.tif 000003
【図２】
0003155198.tif 000004
【図３】
0003155198.tif 000005
【図４】
0003155198.tif 000006
【図５】
0003155198.tif 000007
【図６】
0003155198.tif 000008
【図７】
0003155198.tif 000009
【図８】
0003155198.tif 000010
【手続補正書】
【提出日】平成21年9月7日(2009.9.7)
【手続補正２】
【補正対象書類名】実用新案登録請求の範囲
【補正対象項目名】請求項２
【補正方法】変更
【補正の内容】
【請求項２】
フランジ状天板面(1ａ)の中央に排水口(1ｂ)を開設して成る排水用筒体(１)の内部下方寄りに、中心部を囲むように排水用口(5ａ)を開設した円形基板(５)を取り付け、当該円形基板(５)の中心部に栓体支持用円柱(６)を立設し、上記排水口(1ｂ)に対してしっくりと嵌合可能と成る栓体(９)の上面中心部に昇降操作用摘み(９ａ)を突設し、当該栓体(９)の下面中心部に垂設した昇降パイプ(10)を、上記栓体支持用円柱(６)に対して昇降自在に嵌合し、
また、栓体(９)を上方に引上げて開栓した状態で安定させるための仮止め機構として、栓体支持用円柱(６)の上端より部分に水平透孔(6ｂ)を穿設すると共に、当該水平透孔(6ｂ)内に収装するコイルスプリング(７)の両端に位置しかつ当該コイルスプリング(７)を介して外方への突出力が付与されている球状出没子(8，8)を設けると共に、上記昇降パイプ(10)の所要箇所に、当該球状出没子(8，8)を受け入れるための係止用凹部(10ａ，10ａ)を設け、当該係止用凹部(10ａ，10ａ)に対して球状出没子(8，8)を係合させることによって、栓体(９)の開栓状態での仮止めが成されるように構成したことを特徴とする排水用栓。
【手続補正３】
【補正対象書類名】実用新案登録請求の範囲
【補正対象項目名】請求項４
【補正方法】変更
【補正の内容】
【請求項４】
栓体支持用円柱(６)のほぼ中央部分にしてかつ既述した球状出没子(8，8)を設けるための水平透孔(6ｂ)と直交する方向に、回転阻止用軸体(11)をその両端を突出させた状態で差込み固定し、昇降パイプ(10)の両側部に案内用縦溝孔(10ｂ，10ｂ)を開設し、上記回転阻止用軸体(11)の両端突出部を当該案内用縦溝孔(10ｂ，10ｂ)内に突入させておくことにより、栓体支持用円柱(６)と昇降パイプ(10)との相互回転、すなわち、係止用凹部(10ａ，10ａ)に対する球状出没子(8，8)の係止の位置ズレ防止が図られるように構成した請求項２または請求項３の何れかに記載の排水用栓。
【手続補正４】
【補正対象書類名】実用新案登録請求の範囲
【補正対象項目名】請求項６
【補正方法】変更
【補正の内容】
【請求項６】
フランジ状天板面(1ａ)の中央に排水口(1ｂ)を開設して成る排水用筒体(１)の中心部に、下端部で固定された栓体支持用円柱(13)を立設し、当該排水口(1ｂ)に対してしっくりと嵌合可能として成る栓体(９)の上面中心部に昇降操作用摘み(9ａ)を突設し、当該栓体(９)の下面中心部に垂設した昇降パイプ(15)を前記栓体支持用円柱(13)に対して昇降自在に嵌合し、
栓体支持用円柱(13)の上端に磁性金属材料で製したストッパー兼仮止め用円盤(14)を固設すると共に、上記昇降パイプ(15)の内面側所要位置にリング状を呈するマグネット(16)を固定し、栓体(９)を開栓状態に位置させた際に、当該マグネット(16)とストッパー兼仮止め用円盤(14)との係止に基づき当該栓体(９)のこれ以上の上昇が阻止された状態での安定が図られるように構成した排水用栓。
【手続補正５】
【補正対象書類名】実用新案登録請求の範囲
【補正対象項目名】請求項７
【補正方法】変更
【補正の内容】
【請求項７】
栓体支持用円柱(13)をステンレスのような非磁性材料で製した請求項５または請求項６の何れかに記載の排水用栓。
【手続補正６】
【補正対象書類名】明細書
【補正対象項目名】０００９
【補正方法】変更
【補正の内容】
【０００９】
本考案は請求項２に記載のように、フランジ状天板面1ａの中央に排水口1ｂを開設して成る排水用筒体１の内部下方寄りに、中心部を囲むように排水用口5ａを開設した円形基板５を取り付け、当該円形基板５の中心部に栓体支持用円柱６を立設し、上記排水口1ｂに対してしっくりと嵌合可能と成る栓体９の上面中心部に昇降操作用摘み９ａを突設し、当該栓体９の下面中心部に垂設した昇降パイプ10を、上記栓体支持用円柱６に対して昇降自在に嵌合し、また、栓体10を上方に引上げて開栓した状態で安定させるための仮止め機構として、栓体支持用円柱６の上端より部分に水平透孔6ｂを穿設すると共に、当該水平透孔6ｂ内に収装するコイルスプリング７の両端に位置しかつ当該コイルスプリング７を介して外方への突出力が付与されている球状出没子8，8を設けると共に、上記昇降パイプ９の所要箇所に、当該球状出没子8，8を受け入れるための係止用凹部9ａ，9ａを設け、当該係止用凹部9ａ，9ａに対して球状出没子8，8を係合させることによって、栓体10の開栓状態での仮止めが成されるように構成したことを特徴とする排水用栓を実施の態様とする。
【手続補正７】
【補正対象書類名】明細書
【補正対象項目名】００１１
【補正方法】変更
【補正の内容】
【００１１】
本考案は請求項４に記載のように、栓体支持用円柱６のほぼ中央部分にしてかつ既述した球状出没子8，8を設けるための水平透孔6ｂと直交する方向に、回転阻止用軸体11をその両端を突出させた状態で差込み固定し、昇降パイプ10の両側部に案内用縦溝孔10ｂ，10ｂを開設し、上記回転阻止用軸体11の両端突出部を当該案内用縦溝孔10ｂ，10ｂ内に突入させておくことにより、栓体支持用円柱６と昇降パイプ10との相互回転、すなわち、係止用凹部10ａ，10ａに対する球状出没子8，8の係止位置ズレの防止が図られるように構成した請求項２または請求項３の何れかに記載の排水用栓を実施の態様とする。
【手続補正８】
【補正対象書類名】明細書
【補正対象項目名】００１７
【補正方法】変更
【補正の内容】
【００１７】
本考案は請求項２に記載のような構成、特に、栓体９を上方に引上げて開栓した状態で安定させるための仮止め機構として、栓体支持用円柱６の上端より部分に水平透孔6ｂを穿設すると共に、当該水平透孔6ｂ内に収装するコイルスプリング７の両端に位置しかつ当該コイルスプリング７を介して外方への突出力が付与されている球状出没子8，8を設けると共に、上記昇降パイプ10の所要箇所に、当該球状出没子8，8を受け入れるための係止用凹部10ａ，10ａを設け、当該係止用凹部10ａ，10ａに対して球状出没子8，8を係合させることによって、栓体９の開栓状態での仮止めが成されるように構成したから、開栓状態において排水の水流等に基づき不用意に栓体10が閉栓方向に下がってしまったりするような事態発生を皆無とし、極めて安定した開栓状態の保持目的が達成される。
【手続補正９】
【補正対象書類名】明細書
【補正対象項目名】００１９
【補正方法】変更
【補正の内容】
【００１９】
本考案は請求項４に記載のような構成、すなわち、栓体支持用円柱６のほぼ中央部分にしてかつ既述した球状出没子8，8を設けるための水平透孔6ｂと直交する方向に、回転阻止用軸体11をその両端を突出させた状態で差込み固定し、昇降パイプ10の両側部に案内用縦溝孔10ｂ，10ｂを開設し、上記回転阻止用軸体11の両端突出部を当該案内用縦溝孔10ｂ，10ｂ内に突入させておくことにより、栓体支持用円柱６と昇降パイプ10との相互回転、すなわち、係止用凹部10ａ，10ａに対する球状出没子8，8の係止位置ズレの防止が図られるように構成することにより、係止用凹部10ａ，10ａと球状出没子8，8による仮止め作用が極めて安定した状態で行われることとなる。
【手続補正１０】
【補正対象書類名】明細書
【補正対象項目名】００３４
【補正方法】変更
【補正の内容】
【００３４】
11は回転阻止用軸体であって、栓体支持用円柱６のほぼ中央部分にしてかつ既述した球状出没子8，8を設けるための水平透孔6ｂと直交する方向に、その両端を突出させた状態で差込み固定してある。    10ｂ，10ｂは昇降パイプ10の両側部に開設した案内用縦溝孔であって、上記回転阻止用軸体11の両端突出部は当該案内用縦溝孔10ｂ，10ｂ内に突入させてある。  これにより、栓体支持用円柱６と昇降パイプ10との相互回転、すなわち、係止用凹部10ａ，10ａに対する球状出没子8，8の係止位置ズレの防止が図られるように構成してある。（図３参照。）